(57)【要約】【課題】円柱状体の周表面から水分等を除去する。【解決手段】適宜の閉曲線断面を有する円環状体２が伸縮可能な材料によって気密に形成され、水分除去のため払拭すべき円柱状体１を囲むように配設されて成り、円環状体２内に適宜流体を注入してこれを半径方向内方に膨出させて円柱状体１の外周面に接触させるようにしたことを特徴とする円柱状体の周表面払拭装置である。【選択図】　　　　図１
2004066180.tif 000002
【特許請求の範囲】
【請求項１】
適宜の閉曲線断面を有する円環状体（２）が伸縮可能な材料によって気密に形成され、払拭すべき円柱状体（１）を囲むように配設されて成り、前記円環状体（２）内に適宜流体を注入してこれを半径方向内方に膨出させることができるようにしたことを特徴とする円柱状体の周表面払拭装置。
【請求項２】
適宜の閉曲線断面を有する円環状体（２）が、払拭すべき円柱状体（１）を囲むように伸縮可能な材料によってほぼ気密に形成され、前記円環状体（２）の外周部に電磁石装置（５）を設けると共に、前記円環状体の内部に粉粒状磁性体を含む適宜な磁性流体（６）を充填し、前記電磁石装置（５）を励起することによって前記磁性流体（６）を半径方向内方に移動させ、これによって前記円環状体（２）を半径方向内方に膨出させることができるようにしたことを特徴とする円柱状体の周表面払拭装置。
【請求項３】
前記円環状体（２）と払拭すべき円柱状体（１）との間に適宜な吸水性物（７）を介在付設させたことを特徴とする請求項１または請求項２記載の円柱状体の周表面払拭装置。
【請求項４】
前記円環状体（２）の内部または外部に適宜の加熱装置を併設し、払拭すべき前記円柱状体（１）の外周面を加熱するようにしたことを特徴とする請求項１，請求項２または請求項３記載の円柱状体の周表面払拭装置。
【発明の詳細な説明】
【０００１】
【発明の属する技術分野】
この発明は円柱状体の周表面払拭装置、さらに詳しく言えば、たとえば大理石円柱や金属パイプ等のような円柱状体の外周面の水分，油分等を除去するための円柱状体の周表面払拭装置に関するものである。
【０００２】
【従来の技術】
図４および図５は、円柱状体の周表面払拭のための従来技術を例示したものである。図４は、目的とする円柱状体１の周りに配置した中空の円環状体１０１の内部に圧縮空気などを送り、内周部に穿設されている多数の吹き出し孔１０２から空気を噴出させて、その円柱状体１の外周面の水分などを吹き飛ばし払拭する作用をさせるものである。
【０００３】
図５に示すものは、円柱状体１の外周部に、その外径に合った曲率をもってわん曲しているブラシや布などのワイパー手段１０３を当ててその表面の水分を掻き落とすものである。
【０００４】
いちいち図示はしないが、円柱状体の外周面の水分除去のためには非常に多様なやり方がある。以下に列挙すると、▲１▼図４に示したような噴射方式、▲２▼高温の乾燥空気等を吹きつけ、あるいは周囲から加熱する熱方式、▲３▼目的表面を真空ゾーンに気密に連通接続して目的の表面から水分を吸い出す真空方式、▲４▼図５に示した布やブラシで拭くなどの最も原始的な接触方式、▲５▼タオル布や多孔性のスポンジなどを当てて表面の水分を吸い取る吸収方式などがある。
【０００５】
これらの各方式を、Ａ．払拭対象の円柱状体に外径変動がある場合に対応が容易か、Ｂ．接触圧力に変動があるか、Ｃ．使用するエネルギー消費の点ではどうか、の三項目に関して評価してみると、Ａ項目については▲１▼，▲２▼，▲３▼はいずれも非接触方式であるために問題ないが、▲４▼は円周方向の変化に弱く、また▲５▼には吸収能力に限界がある。
【０００６】
Ｂ項目の特性に関しては、▲４▼が円周方向の変化について変動が起きやすいことを除いて他は一応合格点、またＣ項目に関しては、▲４▼が原始的なだけに作業者の労働力のみで済むが、▲１▼はガス類の消費大きく、▲２▼は概して効率が低く、▲３▼は水分除去に時間がかかり、▲５▼は吸収用材料の消費が多い。
【０００７】
【発明が解決しようとする課題】
上述したように従来の各方式にはいずれも一長一短があり、上述のＡ，Ｂ，Ｃの三つの特性に関してすべて合格点を与えられる円柱状体の周表面払拭方式は現在では見当たらない。本発明はこれを可能とする周表面払拭装置を求めるものである。
【０００８】
【課題を解決するための手段】
この発明は上述の課題をすべて解決するためになされたものであって、請求項１の発明によるその解決手段は、適宜の閉曲線断面を有する円環状体２が伸縮可能な材料によって気密に形成され、払拭すべき円柱状体１を囲むように配設されて成り、前記円環状体内に適宜流体を注入してこれを半径方向内方に膨出させることができるようにしたことを特徴とする円柱状体の周表面払拭装置である。
【０００９】
また請求項２の発明によるその解決手段は、適宜の閉曲線断面を有する円環状体が、払拭すべき円柱状体を囲むように伸縮可能な材料によってほぼ気密に形成され、前記円環状体の外周部に電磁石装置を設けると共に、前記円環状体の内部に粉粒状磁性体を含む適宜な磁性流体を充填し、前記電磁石装置を励起することによって前記磁性流体半径方向内方に移動させ、これによって前記円環状体を半径方向内方に膨出させることができるようにしたことを特徴とする円柱状体の周表面払拭装置である。
【００１０】
また請求項３の発明によるその解決手段は、前記円環状体と払拭すべき円柱状体との間に適宜な吸水性物を介在付設させたことを特徴とする請求項１または請求項２記載の円柱状体の周表面払拭装置である。
【００１１】
また請求項４の発明によるその解決手段は、前記円環状体の内部または外部に適宜の加熱装置を併設し、払拭すべき前記円柱状体の外周面を加熱するようにしたことを特徴とする請求項１，請求項２または請求項３記載の円柱状体の周表面払拭装置である。
【００１２】
【発明の実施の形態】
まず図１を参照してこの発明の一実施例装置を説明する。符号２は閉曲線断面（図示のように長楕円断面が好適）をもつ円環状体を示すが、この円環状体２の作り方をまず説明する。水分除去すべき円柱状体１の外径よりも十分大きい内径のリング状のフレーム３の内側に、ゴムまたは合成樹脂などの伸縮可能な材料で形成され、上下の底面が開口している中空円柱体を準備配置する。
【００１３】
しかしてこの中空円柱体の一方の端縁部を外側に反転させるように折り返してリング状フレーム３の一端の外側の縁部に気密に取り付ける。この中空円柱体の他方の端縁部も同様に外側に反転させてフレーム３の他端の縁部に同様に気密に取り付ける。
【００１４】
こうすれば図示のように一つの閉曲線断面をもつ円環状体２が形成される。閉曲線断面形としては、図示のような長い楕円形が好適であるが、もちろんこれに限るものではない。フレーム３の周上の適宜位置に注入口４１をもつプラグ４を取り付け、ここに図示していない流体供給源からの流体供給配管を接続する。
【００１５】
この実施例装置は次のように使用する。払拭すべき円柱状体１の周囲にこの円環状体２を嵌め、注入口４１を通して空気、あるいは他の適宜の気体、あるいは水または他の適宜の液体のような適宜の流体を円環状体２の中に圧送する。
【００１６】
こうすれば円環状体２は充填される流体によって半径方向内方に膨出し、その内周面が円柱状体１の外周面に均等に接触するに至る。適当な接触圧に達した時点で流体の供給を止め、この状態で円環状体２を円柱状体１の軸方向に摺動させることにより、その円柱状体１の外周面の水分を払拭することができる。
【００１７】
円環状体２を形成する伸縮可能な材料のうち好適なものは、それ自体が多孔性で水分吸収の能力が高いものである。このため単一層でなく重層構造のシートなどでもよい。
【００１８】
図示してはいないが、円環状体２に適宜のアームを取り付け、このアームを円柱状体１の軸方向に移動させる適宜の原動機構を付設することは極めて容易である。またその自動制御も容易である。なお円環状体２の内部から流体を排出させれば円環状体２は元の状態に収縮する。
【００１９】
図２は本発明の第二の実施例装置を示す。この実施例装置では円環状体２の内部にあらかじめ適宜量の磁性流体６を充填しておく。ここでいう磁性流体６は、帯磁または消磁できる流体状物という広義のもので、たとえば微細な鉄粉粒のようなものでもよい。
【００２０】
この第二実施例装置ではリング状のフレーム３の代りに同様にリング状の電磁石装置５を設けるか、あるいはフレーム３の円周に沿う複数個所に電磁石装置５を取り付けてもよい。ここで電磁石装置というのは、単なる電磁石だけでなく、通電やその入・切手段を備えたという程の意味で用いている。
【００２１】
この実施例装置はつぎのように使用する。すなわち円柱状体１の周囲に配置した後電磁石装置５に通電する。こうすれば磁性流体６は帯磁して、それが反極性であれば電磁石装置５から遠ざかる方向、すなわち円環状体２の半径方向内方に一斉に移動し、これによって円環状体２を同方向に膨出させることになる。
【００２２】
この膨出の限度調整についてはさきの実施例と同様に主として円柱状体１の外周面との接触圧力の程度による。また円柱状体１の軸方向に移動させる手段についても先の実施例と同様である。もちろん通電を止めれば円環状体２を元の状態に収縮させることができる。
【００２３】
図３は本発明のさらに別の実施例装置である。このものでは既に述べた第一実施例装置と第二実施例装置に共用できるもので、目的の円柱状体１と円環状体２との間に、フェルト材、タオル布地のような吸水性物７を介在付設したものである。使用法については前二者と同様であるから省略する。
【００２４】
なお図示していないが、上述の各実施例について、円環状体２の内部または近傍に適宜の加熱装置を併設し、これによって円柱状体１の払拭すべき外表面またはそこに付着している水分をあらかじめ、あるいは払拭と同時に加熱して、その水分除去の効率を高めることもできる。これは第四実施例である。
【００２５】
以上の各実施例装置について、円環状体２の膨出の限度、つまり円柱状体１の表面との接触圧力の程度調整については、簡単な自動制御装置を付設することは容易である。たとえば圧力計のような圧力感知器を円環状体２の円柱状体１側に埋設してそこからの信号によって流体圧送用のポンプの駆動・停止、あるいは電磁石装置への通電・同停止を制御すればよい。
【００２６】
【発明の効果】
この発明によれば、目的の円柱状体に直接接触する部分は伸縮可能な材料からなり、しかも膨張・収縮可能な円環状体であるから、円柱状体の外径がどのように変動しても、かなりの外径変動範囲に対して対応でき、しかも外周面に多少の凹凸が存在しても適切な接触圧をもって密接でき、これを円柱状体の目的とする表面に摺動させることによって効果的に付着水分を除去できる利点がある。
【００２７】
また必要によっては接触圧力を所望の程度に容易に調整できる利点もあり、運転操作に消費されるエネルギーは主として機械的な移動などに使用されるものであるから、使用エネルギーの消費を大幅に節減できる利点がある。
【図面の簡単な説明】
【図１】本発明の第一実施例装置を示す側断面図である。
【図２】本発明の第二実施例装置を示す側断面図である。
【図３】本発明の第三実施例装置を示す側断面図である。
【図４】従来技術の一例を示す簡略斜視図である。
【図５】従来技術の他の一例を示す簡略端面図である
【符号の説明】
１　　円柱状体
２　　円環状体
３　　フレーム
４　　プラグ
４１　注入口
５　　電磁石装置
６　　磁性流体
７　　吸水性物
【図１】
2004066180.tif 000003
【図２】
2004066180.tif 000004
【図３】
2004066180.tif 000005
【図４】
2004066180.tif 000006
【図５】
2004066180.tif 000007